(57)【要約】【課題】撮像装置の動作内容を、ユーザによりわかりやすく表示する。【解決手段】撮像装置は、表示部と、被写体像を撮像する撮像部と、ユーザの操作を受け付ける操作釦と、記録制御部とを有する。記録制御部は操作釦が所定の操作を受け付けた後、所定時間が経過した後に、撮像部の撮像結果に基づく動画像データの記録媒体への記録を開始させる。表示部は、操作釦が所定の操作を受け付けるまでは、第１のマークを第１の形態で表示し、操作釦が所定の操作を受け付けた後、所定時間が経過するまでは、第１のマークを第２の形態で表示する。所定時間が経過した後、表示部は、第１のマークとは異なる第２のマークを表示する。【選択図】図１
2015167344.tif 000002
【特許請求の範囲】
【請求項１】
表示部と、
被写体像を撮像する撮像部と、
ユーザの操作を受け付ける操作釦と、
前記操作釦が所定の操作を受け付けた後、所定時間が経過した後に、前記撮像部の撮像結果に基づく動画像データの記録媒体への記録を開始させる記録制御部と、を備え、
前記表示部は、前記操作釦が前記所定の操作を受け付けるまでは、第１のマークを第１の形態で表示し、前記操作釦が前記所定の操作を受け付けた後、前記所定時間が経過するまでは、前記第１のマークを前記第１の形態とは異なる第２の形態で表示し、前記所定時間が経過した後は、前記第１のマークとは異なる第２のマークを表示する、
撮像装置。
【請求項２】
前記第１のマークは、前記動画像データを前記記録媒体へ記録開始する前の状態を示し、
前記第２のマークは、前記動画像データを記録媒体へ記録している状態を示す、
請求項１に記載の撮像装置。
【請求項３】
前記第２の形態の色彩は、前記第１の形態の色彩と異なる、
請求項１、２のいずれか一項に記載の撮像装置。
【請求項４】
前記第２の形態の色彩は、前記第２のマークの色彩と同じである、
請求項３に記載の撮像装置。
【請求項５】
前記撮像部を前記ユーザの視覚方向と連動する部位に取り付けるための保持部をさらに備え、
前記表示部は、前記撮像部に有線または無線により接続された、前記撮像部とは別のユニットに含まれる、
請求項１から４のいずれか一項に記載の撮像装置。
【発明の詳細な説明】
【技術分野】
【０００１】
本開示は撮像装置に関する。
【背景技術】
【０００２】
録画開始コマンドの受信から一定の時間が経過してから録画を開始する撮像装置が開示されている（例えば、特許文献１）。この撮像装置では、録画開始コマンドに従って発光手段を点滅させることで、録画を開始し、実行中であることをユーザに知らせることができる。
【先行技術文献】
【特許文献】
【０００３】
【特許文献１】特開２００９−４４２７７号公報
【発明の概要】
【発明が解決しようとする課題】
【０００４】
しかしながら、上述の撮像装置において、単に発光手段を点滅させるのみでは、撮像装置が実際に録画している内容と、ユーザが録画中であると認識している内容とで齟齬が生じる虞がある。
【０００５】
本開示は、録画開始指示から一定の時間が経過してから録画を開始する撮像装置において、撮像装置の動作内容を、ユーザによりわかりやすく表示する撮像装置を提供することを目的とする。
【課題を解決するための手段】
【０００６】
上記課題を解決するために、本開示の撮像装置は、表示部と、被写体像を撮像する撮像部と、ユーザの操作を受け付ける操作釦と、記録制御部と、を有する。記録制御部は操作釦が所定の操作を受け付けた後、所定時間が経過した後に、撮像部の撮像結果に基づく動画像データの記録媒体への記録を開始させる。表示部は、操作釦が所定の操作を受け付けるまでは、第１のマークを第１の形態で表示し、操作釦が所定の操作を受け付けた後、所定時間が経過するまでは、第１のマークを第１の形態とは異なる第２の形態で表示する。さらに、所定時間が経過した後、表示部は、第１のマークとは異なる第２のマークを表示する。
【発明の効果】
【０００７】
本開示によれば、録画開始指示から一定の時間が経過してから録画を開始する撮像装置において、撮像装置の動作内容を、ユーザによりわかりやすく表示する撮像装置を提供できる。
【図面の簡単な説明】
【０００８】
【図１】（Ａ）本開示の実施の形態による撮像装置の例であるウェアラブルカメラの外観図、（Ｂ）撮像部であるカメラヘッドをユーザに装着した状態を示す図
【図２】図１に示すウェアラブルカメラの電気的構成を示すブロック図
【図３】図１に示すウェアラブルカメラの動画記録動作に伴う表示動作のフローチャート
【図４】図１に示すウェアラブルカメラの動画記録動作に伴う表示動作のイメージ図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために提供されるのであって、これらによって特許請求の範囲に記載の主題を限定することを意図するものではない。
【００１１】
本開示の実施の形態にかかる撮像装置の一例として、ウェアラブルカメラ１００について、図１（Ａ）〜図４（Ｃ）を参照しながら説明する。図１（Ａ）は、ウェアラブルカメラ１００の外観図、図１（Ｂ）はカメラヘッド２００をユーザに装着した状態を示す図である。図２はウェアラブルカメラ１００の電気的構成を示すブロック図である。図３はウェアラブルカメラ１００の動画記録動作に伴う表示動作のフローチャートである。図４（Ａ）〜図４（Ｃ）はウェアラブルカメラ１００の動画記録動作に伴う表示動作のイメージ図である。
【００１２】
図１（Ａ）に示すように、ウェアラブルカメラ１００は、カメラケーブル１２０と、カメラヘッド２００と、カメラボディ３００とを有する。カメラヘッド２００は被写体像を撮像する撮像部である。カメラヘッド２００が生成した撮像データは、カメラケーブル１２０を介して、カメラボディ３００へと伝送される。
【００１３】
カメラボディ３００は、表示部である表示モニタ３４０と、ユーザの操作を受け付ける操作釦を含む操作部材３５０とを有する。カメラボディ３００は、カメラケーブル１２０を介して伝送された撮像データに基づく動画像データを、メモリカード４００等の記録媒体に記録したり、表示モニタ３４０に表示したりすることができる。
【００１４】
なお、カメラボディ３００はカメラケーブル１２０により有線でカメラヘッド２００に接続される以外に、無線により接続されていてもよい。すなわち、表示モニタ３４０は、カメラヘッド２００に有線または無線により接続された、カメラヘッド２００とは別のユニットであるカメラボディ３００に含まれている。
【００１５】
カメラヘッド２００は、イヤーフック１１０に固定して使用することができる。図１（Ｂ）に示すように、イヤーフック１１０は、ウェアラブルカメラ１００を固定させた状態で、ユーザの両耳に引っ掛けて装着する。ユーザは、イヤーフック１１０を使用することにより、ウェアラブルカメラ１００を把持することなく、顔の向きを変えることで、ウェアラブルカメラ１００の撮影方向を変えることができる。すなわち、イヤーフック１１０は、撮像部であるカメラヘッド２００をユーザの視覚方向と連動する部位に取り付けるための保持部である。
【００１６】
ユーザは、カメラヘッド２００を固定したイヤーフック１１０を装着した状態で、操作部材３５０を操作して、動画記録を指示する。このとき、ユーザは、操作部材３５０の方向や表示モニタ３４０に映っている画像を視認している場合が多い。そのため、記録される動画像の開始部分には、カメラボディ３００が映り込んでしまう虞がある。
【００１７】
このような状況を回避するために、ウェアラブルカメラ１００は、ユーザによる操作部材３５０の操作である動画記録の押下を受け付けてから、所定時間経過した後に記録を開始する。このとき、ウェアラブルカメラ１００が実際に記録している内容と、ユーザが記録中であると認識している内容とで齟齬が発生しないように、ウェアラブルカメラ１００は表示モニタ３４０に動作内容を表示させる。
【００１８】
具体的には、動画記録の指示を待機しているときは、図４（Ａ）に示すように、緑色の一時停止マーク６００Ａを表示させる。そして、動画記録の指示を受け付けたら、図４（Ｂ）に示すように、赤色の一時停止マーク６００Ｂへと表示を変える。続いて、実際に動画記録が開始されたら、図４（Ｃ）に示すように、赤色の記録中マーク６１０へと表示を変える。
【００１９】
すなわち、表示モニタ３４０は、操作部材３５０が所定の操作を受け付けるまでは、第１のマークである一時停止マークを第１の形態である緑色で表示する。操作部材３５０が所定の操作を受け付けた後、所定時間が経過するまでは、一時停止マークを第１の形態とは異なる第２の形態である赤色で表示する。所定時間が経過した後は、一時停止アイコンとは異なる第２のマークである記録中マークを表示する。
【００２０】
この場合、第１のマークは、動画像データを記録媒体へ記録開始する前の状態を示し、第２のマークは、動画像データを記録媒体へ記録している状態を示している。
【００２１】
一時停止アイコンの表示色を緑色から赤色へと変化させることにより、動画記録の開始指示を受理した旨と、動画記録が停止された状態である旨の両者をユーザに示すことができる。このように第２の形態の色彩は、第１の形態の色彩と異なることが好ましい。これにより、ウェアラブルカメラ１００の動作内容を、ユーザによりわかりやすく表示することができる。すなわち、ユーザは、一時停止アイコンが緑色から赤色に変わるのを見ることで、ウェアラブルカメラ１００の動作は開始されていないが、指示が受理されていることを理解しやすい。
【００２２】
さらに、第１のマークの第２の形態の色彩は、第２のマークの色彩と同じであることが好ましい。すなわち、ユーザは、赤色の一時停止アイコンを見ることで、ウェアラブルカメラ１００の動作は開始されていないが、もうすぐ動作が開始されることを理解しやすい。
【００２３】
以下、本実施の形態のウェアラブルカメラ１００の構成および動作について、図２、図３も参照しながら説明する。
【００２４】
〔１．ウェアラブルカメラ１００の電気的構成〕
まず、ウェアラブルカメラ１００の電気的構成について図２を用いて説明する。
【００２５】
カメラヘッド２００は、光学系２１０、ＣＭＯＳイメージセンサ（以下、センサ）２２０、アナログ−デジタル変換器（以下、ＡＤＣ）２３０を有する。
【００２６】
光学系２１０は、光学設計の思想に応じて、ズームレンズ、手振れ補正レンズ、フォーカスレンズ、絞り等から適宜選択して組み合わせて構成されている。レンズを駆動する構成の場合は、駆動対象のレンズを駆動するためのアクチュエータを含んでいてもよい。
【００２７】
センサ２２０は、光学系２１０が形成した被写体像を撮像して、撮像データを生成する。センサ２２０は、露光、転送、電子シャッタなどの各種動作を行う。
【００２８】
ＡＤＣ２３０は、センサ２２０で生成されたアナログ形式の撮像データをデジタル形式に変換する。デジタル形式に変換された撮像データは、カメラケーブル１２０を介して、カメラボディ３００内の画像処理部３１０に入力される。
【００２９】
カメラボディ３００は、画像処理部３１０、コントローラ３２０、バッファ３３０、表示モニタ３４０、操作部材３５０、カードスロット３６０、内部メモリ３７０、ＷｉＦｉモジュール３８０を有する。
【００３０】
画像処理部３１０は、センサ２２０で生成された撮像データに対して各種処理を施し、表示モニタ３４０に表示するための画像データを生成したり、記録媒体であるメモリカード４００に格納するための画像データを生成したりする。例えば、画像処理部３１０は、センサ２２０で生成された撮像データに対して、ガンマ補正、ホワイトバランス補正、傷補正などの各種処理を行う。また、画像処理部３１０は、センサ２２０で生成された画像データを、Ｈ．２６４規格やＭＰＥＧ２規格に準拠した圧縮形式等により圧縮する。画像処理部３１０は、デジタルシグナルプロセッサやマイコンなどで形成されている。
【００３１】
コントローラ３２０は、ウェアラブルカメラ１００全体を制御する。コントローラ３２０はカメラヘッド２００内に設けられた部材に対しても、カメラケーブル１２０を介して制御信号を通知することができる。またコントローラ３２０は、操作部材３５０の操作釦が所定の操作を受け付けた後、所定時間が経過した後に、カメラヘッド２００の撮像結果に基づく動画像データの記録媒体への記録を開始させる記録制御部としても機能する。コントローラ３２０は、半導体素子などで形成されている。コントローラ３２０は、専用のハードウェアのみで構成してもよいし、ハードウェアとソフトウェアとを組み合わせることにより構成してもよい。コントローラ３２０は、マイコンなどで形成されている。
【００３２】
バッファ３３０は、画像処理部３１０及びコントローラ３２０のワークメモリとして機能する。バッファ３３０は、例えば、ＤＲＡＭ、強誘電体メモリなどで形成されている。
【００３３】
表示モニタ３４０は、センサ２２０で生成された撮像データが示す画像や、メモリカード４００から読み出された画像データが示す画像を表示できる。また、表示モニタ３４０は、ウェアラブルカメラ１００の各種設定を行うための各種メニュー画面等も表示できる。
【００３４】
操作部材３５０は、使用者からの操作を受け付けるユーザーインターフェースの総称である。操作部材３５０は、例えば、使用者からの操作を受け付ける十字キーや決定釦、動画記録開始／停止を指示するための動画記録釦などを含む。動画記録釦は、動画非記録時における動画記録開始指示と、動画記録時における動画記録停止指示とを兼用する釦として以下説明するが、これに限定されない。動画記録開始釦とは別に、動画記録停止釦が設けられていてもよい。図１（Ａ）に示す操作部材３５０は、ウェアラブルカメラ１００の外装に設けられたハードキーである。これ以外に、表示モニタ３４０に表示された釦アイコンをタッチパネルを介して操作させるソフトキーで操作部材３５０を構成してもよい。
【００３５】
カードスロット３６０は、メモリカード４００を着脱可能である。カードスロット３６０は、機械的及び電気的にメモリカード４００と接続可能である。メモリカード４００は、フラッシュメモリや強誘電体メモリなどを内部に含み、画像処理部３１０で生成された画像ファイル等のデータを格納できる。
【００３６】
内部メモリ３７０は、フラッシュメモリや強誘電体メモリなどで構成される。内部メモリ３７０は、ウェアラブルカメラ１００全体を制御するための制御プログラム等を記憶する。
【００３７】
ＷｉＦｉモジュール３８０は、通信規格ＩＥＥＥ８０２．１１に準拠した通信モジュールである。ウェアラブルカメラ１００は、ＷｉＦｉモジュール３８０を介して、ＷｉＦｉモジュールを搭載した他の通信機器と通信することができる。例えば、ウェアラブルカメラ１００は、ＷｉＦｉモジュール３８０を介して、画像処理部３１０で生成した画像データや、メモリカード４００に記録された画像データを、スマートフォン等の他の通信機器に転送することができる。ウェアラブルカメラ１００は、ＷｉＦｉモジュール３８０を介して、他の通信機器と直接通信を行ってもよいし、アクセスポイント経由で通信を行ってもよい。なお、ＷｉＦｉモジュール３８０に代えて、通信規格８０２．１５．１すなわち、Ｂｌｕｅｔｏｏｔｈ（登録商標）に準拠した通信を行う通信モジュール等、他の通信モジュールに置換しても構わない。
【００３８】
〔２．ウェアラブルカメラ１００の動作〕
続いて、図２、図３及び図４（Ａ）〜図４（Ｃ）を参照しながら、ウェアラブルカメラ１００の動画記録動作およびそれに伴う表示動作について説明する。
【００３９】
ウェアラブルカメラ１００の電源がＯＮされると、コントローラ３２０は、ウェアラブルカメラ１００を構成する各部に必要な電力を供給する。電力の供給を受けて、光学系２１０を構成する各レンズや、センサ２２０などの構成は、動作可能な状態へと初期設定を完了させる。
【００４０】
ウェアラブルカメラ１００は、動画記録を行うための動画記録モードと、動画再生を行うための動画再生モードとを有している。ウェアラブルカメラ１００が動画記録モードに設定されているとき、ウェアラブルカメラ１００の電源ＯＮにともなって、センサ２２０は被写体像の撮像を開始する。これにより、表示モニタ３４０は、センサ２２０が生成した撮像データに基づく画像を表示し始める。なおこの時点では撮像データは記録されていない。このとき、コントローラ３２０は、図４（Ａ）に示すように、カメラボディ３００の表示モニタ３４０に、緑色の一時停止マーク６００Ａを表示する（Ｓ５００）。一時停止マーク６００Ａは、動画像データが記録されていないことを示す。また、緑色は、コントローラ３２０が動画記録指示を受理していないことを示す。ユーザは、緑色で表示された一時停止マーク６００Ａを見ることにより、動画像データが記録されておらず、かつ、動画記録指示も受理されていないことを容易に把握することができる。
【００４１】
コントローラ３２０は、操作部材３５０の動画記録釦が押下されたか否かを監視している（Ｓ５１０）。動画記録釦が押下されるまで、コントローラ３２０は、表示モニタ３４０に緑色の一時停止マーク６００Ａを表示させたまま待機する（Ｓ５１０におけるＮｏ）。ユーザは、動画記録の開始に好適なタイミングで操作部材３５０の動画記録釦を押下する。動画記録釦が押下されると（Ｓ５１０におけるＹＥＳ）、コントローラ３２０は、図４（Ｂ）に示すように、表示モニタ３４０に、赤色の一時停止マーク６００Ｂを表示する（Ｓ５２０）。一時停止マーク６００Ｂは一時停止マーク６００Ａと同じ形状、同じ大きさであり、一時停止マーク６００Ａと同様に動画像データが記録されていないことを示す。このようにユーザは表示されたマーク（第１のマーク）の形状によって動画像データが記録されていないことを認識することができる。また、赤色は、コントローラ３２０が動画記録指示を受理したことを示す。ユーザは、赤色で表示された一時停止マーク６００Ｂを見ることにより、動画像データは記録されていないが、動画記録指示は受理されたことを容易に把握することができる。
【００４２】
コントローラ３２０は、Ｓ５１０において動画記録釦が押下された後、所定の時間が経過したか否かを監視する（Ｓ５３０）。所定の時間は、ユーザが、動画記録釦を押下してから所望の被写体の方向にカメラヘッド２００を向けるまでの平均時間に設定するとよい。コントローラ３２０は、所定の時間が経過するまでは、表示モニタ３４０に赤色の一時停止マーク６００Ｂを表示させたまま待機する（Ｓ５３０におけるＮｏ）。
【００４３】
コントローラ３２０は、Ｓ５１０において動画記録釦が押下された後、所定の時間が経過したと判断すると（Ｓ５３０におけるＹｅｓ）、画像処理部３１０に対し、センサ２２０が撮像した画像に基づく動画像データをメモリカード４００へ記録開始するよう指示する（Ｓ５４０）。動画像データがメモリカード４００へ記録され始めると、コントローラ３２０は、図４（Ｃ）に示すように、表示モニタ３４０に、記録中マーク６１０を赤色で表示する（Ｓ５５０）。記録中マーク６１０は、動画像データが記録されていることを示す。また、赤色は、コントローラ３２０が動画記録指示を受理したことを示す。ユーザは、赤色で表示された記録中マーク６１０を見ることにより、動画記録指示は受理され、動画像データが記録されていることを容易に把握することができる。
【００４４】
動画像データの記録中において、操作部材３５０の動画記録釦が押下されると、記録停止動作が実行される。記録停止動作は割り込み動作であり、ユーザが動画記録釦を押下ることを受けて、動画記録中の適切なタイミングで実施される。すなわち、コントローラ３２０は、動画記録釦が押下されると、動画像データのメモリカード４００への記録を停止する。動画像データのメモリカード４００への記録が停止されると、コントローラ３２０は、再び図４（Ａ）に示すように、表示モニタ３４０に、緑色の一時停止マーク６００Ａを表示する。上述の通り、一時停止マーク６００Ａは、動画像データが記録されていないことを示す。また、緑色は、コントローラ３２０が動画記録指示を受理していないことを示す。ユーザは、緑色で表示された一時停止マーク６００Ａを見ることにより、動画像データが記録されておらず、かつ、動画記録指示も受理されていないことを容易に把握することができる。
【００４５】
〔３．効果等〕
上記説明してきたように、ウェアラブルカメラ１００は、表示部である表示モニタ３４０と、被写体像を撮像する撮像部であるセンサ２２０と、ユーザの操作を受け付ける操作釦を含む操作部材３５０と、記録制御部として機能するコントローラ３２０と、を有する。コントローラ３２０は、操作部材３５０が所定の操作を受け付けた後、所定時間が経過した後に、センサ２２０の撮像結果に基づく動画像データを記録媒体であるメモリカード４００へ記録させ始める。
【００４６】
表示モニタ３４０は、操作部材３５０が所定の操作を受け付けるまでは、第１のマークを第１の形態で表示する。操作部材３５０が所定の操作を受け付けた後、所定の時間が経過するまでは、第１のマークを第１の形態とは異なる第２の形態で表示する。そして、所定の時間が経過した後は、第１のマークとは異なる第２のマークを表示する。
【００４７】
操作部材３５０が所定の操作を受け付けることにより、第１のマークの表示形態を、第１の形態から第２の形態へと変化させることで、ウェアラブルカメラ１００は、操作部材３５０が所定の操作を受け付けたことをユーザに報知することができる。同時に、所定の時間が経過するまでは、第１のマーク自体の表示を継続することで、所定の操作に基づく動作が実施されていないことをユーザに報知することができる。このように、動作は変わらず、操作指示は受理されたことをユーザは容易に理解することができる。
【００４８】
また、第１のマークは、センサ２２０の撮像結果に基づく動画像データをメモリカード４００へ記録開始する前の状態を示している。一方、第２のマークは、センサ２２０の撮像結果に基づく動画像データをメモリカード４００へ記録している状態を示す。これにより、ウェアラブルカメラ１００は、操作部材３５０が動画記録指示の操作を受け付けたことをユーザに報知することができる。同時に、所定の時間が経過するまでは、動画記録動作が実施されていないことをユーザに報知することができる。
【００４９】
また、ウェアラブルカメラ１００において、第２の形態の色彩は、第１の形態の色彩とは異なる。これにより、ユーザは、色彩の変化を確認するだけで、ウェアラブルカメラ１００が、動画記録指示の操作を受け付けたか否かを容易に把握することができる。
【００５０】
なお、第１の形態と第２の形態とで色彩を変える以外に、他の方式で第１の形態と第２の形態とを設定してもよい。例えば、第１の形態では第１のマークを固定画像で表示し、第２の形態では第１のマークが点滅や回転するように表示してもよい。あるいは第２の形態では第１のマークの大きさが変化してもよい。このようにしても、第１のマークの形状は変化しないため、ユーザは動画像データが記録され始めていないが、次の動作に移行中であることは認識できる。
【００５１】
以上の表示動作は、撮像部をユーザの視覚方向と連動する部位に取り付けるための保持部を有し、表示部が撮像部に有線または無線により接続された、撮像部とは別のユニットに含まれる場合に特に有効である。なお、以上の説明では保持部の例としてイヤーフック１１０を説明したが、頭部の他の部位や肩などに撮像部を固定してもよい。これらの場合も、ユーザが表示された画像やマークを確認し動画記録釦を押下してから所望の被写体の方向にカメラヘッド２００を向けるまでには時間がかかる。
【００５２】
なお、以上の説明では、操作釦が所定の操作を受け付けた後、所定時間が経過するまでは動画像データの記録が開始されない場合を例に説明したが、それ以外の場合にも適用可能である。動画像データを記録媒体に記録するのにも、ハードウェアやソフトウェアの仕様によって時間がかかる。そのため、動画像データの記録中にユーザが操作部材３５０の動画記録釦を押下げても、直ぐには動画像データの記録は終了しない場合がある。したがって、撮像停止操作直後にユーザが電源を取り外すと記録媒体に動画像データが記録し終わらず、データが消失する虞もある。このようなトラブルを避けるために、表示モニタ３４０は、以下のようにマークを表示してもよい。すなわち、操作釦が撮像停止操作を受け付けるまでは、第１のマークとして、図４（Ｃ）に示す赤色（第１の形態）の記録中マーク６１０（第１のマーク）を表示する。操作釦が撮像停止操作を受け付けた後、所定時間が経過するまでは、記録中マークを赤色とは異なる緑色（第２の形態）で表示する。そして、所定時間が経過した後は、記録中マークとは異なる第２のマークである一時停止マーク６００Ａを表示する。なお、この構成はウェアラブルカメラ以外の撮像装置にも有効である。
【００５３】
以上のように、本開示における技術の例示として、実施の形態を説明した。しかしながら、本開示における技術は、これに限定されず、適宜、変更、置き換え、付加、省略などを行った実施の形態にも適用可能である。
【００５４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５５】
また、上述の実施の形態は、本開示における技術を例示するためのものであるから、請求の範囲またはその均等の範囲において種々の変更、置き換え、付加、省略などを行うことができる。
【産業上の利用可能性】
【００５６】
本発明は、デジタルビデオカメラや、デジタルスチルカメラや、カメラ機能付携帯電話や、カメラ機能付スマートフォン等に適用できる。
【符号の説明】
【００５７】
１００    ウェアラブルカメラ
１１０    イヤーフック
１２０    カメラケーブル
２００    カメラヘッド
２１０    光学系
２２０    ＣＭＯＳイメージセンサ（センサ）
２３０    アナログ−デジタル変換器（ＡＤＣ）
３００    カメラボディ
３１０    画像処理部
３２０    コントローラ
３３０    バッファ
３４０    表示モニタ
３５０    操作部材
３６０    カードスロット
３７０    内部メモリ
３８０    ＷｉＦｉモジュール
４００    メモリカード
６００Ａ，６００Ｂ    一時停止マーク
６１０    記録中マーク
【図１】
2015167344.tif 000003
【図２】
2015167344.tif 000004
【図３】
2015167344.tif 000005
【図４】
2015167344.tif 000006